(57)【要約】      （修正有）【課題】頭付ボルトをねじ込んだとき、振動等により生じる緩みを確実に、しかも簡単な作業により制止するものである。【解決手段】頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面３より少く深くまで垂直に２本の錐孔４を穿孔しておき、頭付ボルトを上部材９のボルト孔１０を通して、下部材１２にねじ込んだ後そのボルト頭の２ケ所の錐孔４に門形釘５を打込み、その釘の両足先端の楔部７をボルト頭の下面３の下まで押下げることにより、その楔部角の切刃８が上部材のボルト孔１０の入口角部１１に食い込み、頭付ボルトと上部材は結合されるようする。【選択図】図１
2016211719.tif 000002
【特許請求の範囲】
【請求項１】
頭付ボルトの緩み止めの構造において、頭付ボルト（１）の頭部上面にボルトのねじ外径と同寸法の円形の罫描線を描き、この線上の１８０°相対する２ケ所の位置よりボルト頭部（２）を貫通して、その下面（３）より少く深くまで垂直に２本の錐孔（４）を穿孔しておき、頭付ボルトを上部材（９）のボルト孔（１０）を通して、下部材（１２）にねじ込んだ後、そのボルト頭の２ケ所の錐孔（４）に門形釘（５）を打込み、その釘の両足先端の楔部（７）をボルト頭の下面（３）の下まで押下げることにより、その楔部角の切刃（８）が上部材のボルト孔（１０）の入口角部（１１）に食い込み、頭付ボルトと上部材は結合されるようにした頭付ボルトの緩み止めの構造。
【発明の詳細な説明】
【技術分野】
【０００１】  本発明は並目、細目等の頭付ボルトの緩み止めを行う方法である。
【背景技術】
【０００２】  頭付ボルトの緩み止めの方法としては座金を上部材に固定し、この座金を折り曲げる等の方法によりボルトの頭の回転を阻止するものがあるが、締付けた時の頭の角度によっては確実に回り止めを行うことが困難なこともある。
【発明の開示】
【発明が解決しようとする課題】
【０００３】  頭付ボルトをねじ込んだとき、振動等により生じる緩みを確実に、しかも簡単な作業により制止することが必要である。
【課題を解決するための手段】
【０００４】  頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面３より少く深くまで垂直に２本の錐孔４を穿孔しておき、頭付ボルトを上部材９のボルト孔１０を通して、下部材１２にねじ込んだ後、そのボルト頭の２ケ所の錐孔４に門形釘５を打込み、その釘の両足先端の楔部７をボルト頭の下面３の下まで押下げることにより、その楔部角の切刃８が上部材のボルト孔１０の入口角部（１１）に食い込み、頭付ボルトと上部材は結合されるようにする。
【発明の効果】
【０００５】  本発明の実施により頭付ボルトを強く締め込んだ後、簡単な方法で確実な緩み止めが可能になる。
【図面の簡単な説明】
【０００６】
【図１】本発明の実施形態の一例として、頭付ボルトをねじ込んだ後、その頭部より門形釘を打込んだ状態の縦断面図
【図２】図１の平面図
【図３】図１の側面図
【図４】本発明の実施形態の一例として門形釘の正面図
【図５】図４の平面図
【図６】図４の側面図
【発明を実施するための形態】
【０００７】  頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面３より少く深くまで垂直に２本の錐孔４を穿孔しておく。
【０００８】  頭付ボルトを上部材９のボルト孔１０を通して、下部材１２にねじ込む。
【０００９】  次ぎにそのボルト頭の２ケ所の錐孔４に門形釘５を打込み、その釘の両足先端の楔部７をボルト頭の下面３の下まで押下げることにより、その楔部角の切刃８が上部材のボルト孔１０の入口角部１１に食い込ませる。門形釘の両足６の形状は、丸棒でも角棒でもよいが錐孔４に軽く圧入される寸法にする必要がある、両足先端の楔部角の切刃８は焼入れされ、上部材のボルト孔の入口角部１１に鋭く切込ませる。
【００１０】  打込まれる門形釘５は両足６を打込んでいるので互に脱出を阻止しようとするため、容易に振動により脱落する恐れはなく、又頭付ボルトをねじ戻すときは門形釘の門形の下の空間に楔を打込むことにより引抜くことが可能である。
【符号の説明】
【００１１】  １・・・頭付ボルト                  ２・・・ボルト頭部
３・・・ボルト頭部下面              ４・・・頭付ボルトの錐孔
５・・・門形釘                      ６・・・門形釘の両足
７・・・門形釘の両足先端の楔部      ８・・・楔部角の切刃
９・・・上部材                    １０・・・上部材のボルト孔
１１・・・ボルト孔の入口角部        １２・・・下部材
【図１】
2016211719.tif 000003
【図２】
2016211719.tif 000004
【図３】
2016211719.tif 000005
【図４】
2016211719.tif 000006
【図５】
2016211719.tif 000007
【図６】
2016211719.tif 000008
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
頭付ボルトの緩み止めの構造において、頭付ボルト（１）の頭部上面にボルトのねじ外径と同寸法の円形の罫描線を描き、この線上の１８０°相対する２ケ所の位置よりボルト頭部（２）を貫通して、その下面（３）より少く深くまで垂直に２本の錐孔（４）を穿孔しておき、頭付ボルトを上部材（９）のボルト孔（１０）を通して下部材（１２）にねじ込んだ後、この２本の錐孔を通して上部材のボルト孔（１０）の入口角部（１１）に向って門形釘（５）を打込み、その釘の両足先端の楔部角の切刃（８）をそこに喰い込ませて頭付ボルトと上部材は結合されるようにした頭付ボルトの緩み止めの構造。
【手続補正２】
【補正対象書類名】明細書
【補正対象項目名】全文
【補正方法】変更
【補正の内容】
【発明の詳細な説明】
【技術分野】
【０００１】  本発明は並目、細目等の頭付ボルトの緩み止めを行う方法である。
【背景技術】
【０００２】  頭付ボルトの緩み止めの方法としては座金を上部材に固定し、この座金を折り曲げる等の方法によりボルトの頭の回転を阻止するものがあるが、締付けた時の頭の角度によっては確実に回り止めを行うことが困難なこともある。
【発明の開示】
【発明が解決しようとする課題】
【０００３】  頭付ボルトをねじ込んだとき、振動等により生じる緩みを確実に、しかも簡単な作業により制止することが必要である。
【課題を解決するための手段】
【０００４】  頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面（３）より少く深くまで垂直に２本の錐孔（４）を穿孔しておき、頭付ボルトを上部材９のボルト孔１０を通して下部材１２にねじ込んだ後、この２本の錐孔を通して上部材のボルト孔１０の入口角部１１に向って門形釘５を打込み、その釘の両足先端の楔部角の切刃８をそこに喰い込ませて頭付ボルトと上部材は結合されるようにする。
【発明の効果】
【０００５】  本発明の実施により頭付ボルトを強く締め込んだ後、簡単な方法で確実な緩み止めが可能になる。
【図面の簡単な説明】
【０００６】
【図１】本発明の実施形態の一例として、頭付ボルトをねじ込んだ後、その頭部より門形釘を打込んだ状態の縦断面図
【図２】図１の平面図
【図３】図１の側面図
【図４】本発明の実施形態の一例として門形釘の正面図
【図５】図４の平面図
【図６】図４の側面図
【発明を実施するための形態】
【０００７】  頭付ボルトの緩み止めの構造において、頭付ボルト１の頭部上面にボルトのねじ外径と同寸法の円形の罫描線を描き、この線上の１８０°相対する２ケ所の位置よりボルト頭部２を貫通して、その下面３より少く深くまで垂直に２本の錐孔４を穿孔しておく。
【０００８】  頭付ボルトを上部材９のボルト孔１０を通して下部材１２にねじ込んだ後、この２本の錐孔を通して上部材のボルト孔１０の入口角部１１に向って門形釘５を打込み、その釘の両足先端の楔部角の切刃８をそこに喰い込ませて頭付ボルトと上部材は結合されるようにする。
【０００９】  門形釘の両足６の形状は、丸棒でも角棒でもよいが錐孔４に軽く圧入される寸法にする必要がある、両足先端の楔部角の切刃８は焼入れされ、上部材のボルト孔の入口角部１１に鋭く切込ませる。
【００１０】  打込まれる門形釘５は両足６を打込んでいるので互に脱出を阻止しようとするため、容易に振動により脱落する恐れはなく、又頭付ボルトをねじ戻すときは門形釘の門形の下の空間に楔を打込むことにより引抜くことが容易である。
【符号の説明】
【００１１】  １・・・頭付ボルト                    ２・・・ボルト頭部
３・・・ボルト頭部下面                ４・・・頭付ボルトの錐孔
５・・・門形釘                        ６・・・門形釘の両足
７・・・門形釘の両足先端の楔部        ８・・・楔部角の切刃
９・・・上部材                      １０・・・上部材のボルト孔
１１・・・ボルト孔の入口角部          １２・・・下部材
【手続補正３】
【補正対象書類名】図面
【補正対象項目名】全図
【補正方法】変更
【補正の内容】
【図１】
2016211719.tif 000009
【図２】
2016211719.tif 000010
【図３】
2016211719.tif 000011
【図４】
2016211719.tif 000012
【図５】
2016211719.tif 000013
【図６】
2016211719.tif 000014